(57)【特許請求の範囲】
【請求項１】
棒状化粧料１を収嵌保持し、側壁に螺合突部３を突設した保持筒２と、該保持筒２を上下摺動自在に内装し、側壁に前記保持筒２の螺合突部３が貫通して保持筒２を回動不能に上下摺動自在に案内するガイド溝５を軸線と平行に穿設した身筒４と、該身筒４に回動自在に保持され、内壁に前記保持筒２の螺合突部３が螺合する螺旋溝２９を螺設した螺旋筒５７と、該螺旋筒５７を回動不能に内装したスリーブ１３とが主な構成要素となる棒状化粧料繰り出し容器において、
前記身筒４は、螺旋筒５７内に挿入されるガイド部７の下方に、螺旋筒５７の下端が当接する段部１０を構成し、前記螺旋筒５７は、外径がスリーブ１３の内径よりも僅かに小径にして、スリーブ１３内に遊挿されるよう構成し、下部外側壁全周に均等間隔で少なくとも複数条の縦リブ２１ａを突設し、スリーブ１３は、下端より前記螺旋筒５７の縦リブ２１ａに係合する係合リブ２１ｃを刻設して螺旋筒５７を下方より挿入可能に、回動不能に保持し、スリーブ１３及び身筒４に、それぞれが回動自在に連結する連結手段を設け、スリーブ１３先端の棒状化粧料１の出没穴２３周縁の当接部１２と身筒４の段部１０の間に螺旋筒５７を上下移動不能に挟持させた事を特徴とする棒状化粧料繰り出し容器。
【請求項２】
前記スリーブ１３及び身筒４にそれぞれが回動自在に連結する連結手段は、身筒４のガイド部７の下方に螺旋筒５７の外径とほぼ同径で、スリーブ１３下端が覆う挿入部８を設け、該挿入部８外周に係合凹部３３を刻設し、スリーブ１３下部に、前記係合凹部３３に係合する内周リブ２１ｂを外部より突設して構成した事を特徴とする請求項１記載の棒状化粧料繰り出し容器。
【発明の詳細な説明】
【０００１】
【発明の属する技術分野】
本発明は、口紅、スティックファンデーション、アイシャドウ等の棒状化粧料容器に関するものであり、容器の組立工程を簡素化できる棒状化粧料容器の構造に関するものである。
【０００２】
【従来の技術】
従来より、口紅、スティックファンデーション、アイシャドウ等の棒状化粧料容器は、棒状化粧料を保持する保持筒と、この保持筒を上下摺動自在に回動不能に内装するガイド筒と、このガイド筒に回動自在に保持され、前記保持筒が螺合して上下摺動させる螺旋溝を螺設した螺旋筒と、この螺旋筒を内部に止着したスリーブと、ガイド筒の下部を覆う本体筒と、本体筒の上部に嵌合し、スリーブを覆うキャップとが主な構成要素となっていた。
【０００３】
このうち、スリーブ、本体筒、及びキャップは外部に露出するため、見栄えの良い加飾が施されていた。そのため、高級感のある金属光沢が容易に得られる、アルミニウム、銅合金等の金属薄板より成形されていた。また、前記部品以外の保持筒、ガイド筒、及び螺旋筒は、成形性が良く、腐食せず、摺動性の良好な合成樹脂より成形されていた。
【０００４】
【発明が解決しようとする課題】
しかし、この種の容器を組み立てる場合、金属部材と樹脂部材を連結させる必要があり、接着、カシメ、圧入等の手段で連結させていた。特にスリーブ内に螺旋筒を内部に止着する手段としては、スリーブが外部に露出する部材であるため、スリーブ自体を変形させるカシメ手段は使用できなかった。また、接着手段は、接着剤が容器内部にはみ出さないよう注意しながら接着する必要があった。更に、棒状化粧料内部に含有された成分や、容器の摺動性を向上させるために塗布された潤滑材等に侵され、接着剤が変質し、接着の効果を果たさなくなる危険性もあり、現実的でなかった。
【０００５】
また、圧入手段はスリーブと、スリーブ内に圧入される螺旋筒の組み合わせによって、それぞれが有している寸法誤差の組み合わせから、圧入強度が変化してしまうため、最も緩い圧入強度のものでも、繰り出し操作時に螺旋筒が空転してしまわないよう、圧入力をやや強目に設定していた。したがって、圧入力が強すぎると、螺旋筒の内壁、つまり内径に影響が出てきてしまい、棒状化粧料の上下摺動時の摺動抵抗が増加して、繰出し操作感の悪い容器となってしまった。
【０００６】
【課題を解決するための手段】
棒状化粧料１を収嵌保持し、側壁に螺合突部３を突設した保持筒２と、該保持筒２を上下摺動自在に内装し、側壁に前記保持筒２の螺合突部３が貫通して保持筒２を回動不能に上下摺動自在に案内するガイド溝５を軸線と平行に穿設した身筒４と、該身筒４に回動自在に保持され、内壁に前記保持筒２の螺合突部３が螺合する螺旋溝２９を螺設した螺旋筒５７と、該螺旋筒５７を回動不能に案内したスリーブ１３とが主な構成要素となる棒状化粧料繰り出し容器において、
前記身筒４は、螺旋筒５７内に挿入されるガイド部７の下方に、螺旋筒５７の下端に当接する段部１０を構成し、前記螺旋筒５７は、外径がスリーブ１３の内径よりも僅かに小径にして、スリーブ１３内に遊挿されるよう構成し、下部外側壁全周に均等間隔で少なくとも複数条の縦リブ２１ａを突設し、スリーブ１３は、下端より前記螺旋筒５７の縦リブ２１ａに係合する係合リブ２１ｃを刻設して螺旋筒５７を下方より挿入可能に、回動不能に保持し、スリーブ１３及び身筒４に、それぞれが回動自在に連結する連結手段を設け、スリーブ１３先端の棒状化粧料１の出没穴２３周縁の当接部１２と身筒４の段部１０の間に螺旋筒５７を上下移動不能に挟持させる。
【０００７】
【作用】
螺旋筒５７は、スリーブ１３内に遊挿されているが、縦リブ２１ａと係合リブ２１ｃが係合してスリーブ１３と回動不能に係合しており、スリーブ１３の当接部１２と身筒４の段部１０との間に両端が挟持されているため、上下移動不能となっている。ここで、身筒４を保持してスリーブ１３を回転操作すると、縦リブ２１ａと係合リブ２１ｃが係合した螺旋筒５７も回転し、身筒４によって回動不能にされた保持筒２の螺合突部３が回転している螺旋筒５７の螺旋溝２９に螺合しているため、螺合作用により保持筒２が上下摺動し、棒状化粧料１がスリーブ１３の出没穴２３より出没する。
【０００８】
【実施例】
口紅、アイシャドウ、スティックファンデーションなどの棒状化粧料１は、下部を保持筒２に収嵌保持されている。この保持筒２の側壁には、螺合突部３を突設している。この保持筒２は、身筒４内に上下摺動自在に内装されている。
【０００９】
この身筒４の側壁には、前記保持筒２の螺合突部３が貫通して保持筒２を回動不能に案内し、かつ保持筒２の上下摺動を規制するガイド溝５を軸線と平行に穿設している。このガイド溝５の設けられた部位はガイド部７となっており、このガイド部７の下方側壁には、僅かに外径が拡大した挿入部８が設けられ、ガイド部７と挿入部８の間には段部１０が構成されている。この挿入部８の下方には更に外径が拡大した基部９が設けられている。この挿入部８には、Ｏリング３８が巻着する凹溝３７が周設されている。更にこの凹溝３７の下方には、係合凹部３３が周設されている。
【００１０】
この身筒４のガイド部７は、螺旋筒５７内に回動自在に挿入されており、下端が身筒４の段部１０に当接している。この螺旋筒５７の外径は、前記身筒４の挿入部８の外径とほぼ同径になっている。この螺旋筒５７の内側壁には、前記身筒４を貫通した保持筒２の螺合突部３が螺合する螺旋溝２９が螺設されている。また、螺旋筒５７の下部外側壁には、縦リブ２１ａが突設されている。この縦リブ２１ａは、螺旋筒５７の外壁全周に等間隔で複数条設けられている。
【００１１】
この螺旋筒５７及び身筒４の挿入部８は、スリーブ１３内に下方より挿入されている。このスリーブ１３の先端は、保持筒２に保持された棒状化粧料１の出没穴２３となっており、先端内壁に当接部１２が設けられている。このスリーブ１３の内径は、螺旋筒５７の縦リブ２１ａを除いた外径及び身筒４の挿入部８の外径よりもわずかに大径となっており、このスリーブ１３内壁の、螺旋筒５７の縦リブ２１ａに相当する部位には、螺旋筒５７の縦リブ２１ａが係合する係合リブ２１ｃが下端より刻設されている。この係合リブ２１ｃは、縦リブ２１ａと同じ間隔で、同数条設けられており、螺旋筒５７がスリーブ１３内に下方から挿入可能となり、縦リブ２１ａがどの位置でも係合できるようになっている。また、身筒４に巻着したＯリング３８は、スリーブ１３の内壁に弾性を有して当接している。その結果、スリーブ１３を身筒４に対して相対回転させると、縦リブ２１ａと係合リブ２１ｃが係合した螺旋筒５７も回転し、弾性を有して当接したＯリング３８が摺動抵抗を発生させ、良好な操作感に調整している。また、スリーブ１３下部の、身筒４挿入部８係合凹部３３に相当した部位には、外部より内方向に向けて内周リブ２１ｂが周設されている。この内周リブ２１ｂは、身筒４の係合凹部３３に係合し、スリーブ１３と身筒４を回動自在に脱落不能に連結している。そして、螺旋筒５７は、スリーブ１３の当接部１２と身筒４の段部１０との間に挟持され、上下移動不能となっている。
【００１２】
また、身筒４の下部は、嵌合筒１５内に挿入され、下部に止着されている。この嵌合筒１５の上部には、キャップ１６が抜脱可能に嵌合する嵌合部３０になっている。この嵌合筒１５は、本体筒１４内に挿入止着されている。
【００１３】
なお、本発明の要旨を脱しない限り、前述した実施例の構成に限定されるものではない。例えば、第３図のように嵌合筒１５と本体筒１４を一体に成形する等の、複数パーツを一体に成形したり、逆に１つのパーツを複数のパーツに分割しても良い。また、２つの部品を止着する手段としては、カシメ、接着、アンダーカットなど自由である。また、第３図のように螺旋筒５７の内壁全周に無数の細かい螺旋状ローレット２４を螺設し、保持筒２の螺合突部３先端面に前記螺旋状ローレット２４に螺合する螺合面２５を設けても良い。この場合、保持筒２のがたつきがなくなり、棒状化粧料の保持が安定する。更に、螺合突部３を螺旋溝２９に螺合させる際に、どの位置でも螺合できるようになり、生産性が向上する。さらに螺旋筒５７の縦リブ２１ａ及びスリーブ１３の係合リブ２１ｃは、リブの凹凸を細かくしてローレットのような形状としても良い。また、保持筒２の螺合突部３は、保持筒２側壁に複数本突設する事が可能である。この場合、螺合突部３は円周に均等に配置する必要があり、ガイド溝５及び螺旋溝２９の本数もそれに対応して増設する必要がある。
【００１４】
【発明の効果】
本発明は以上のように、スリーブ１３内壁に固定される螺旋筒５７の外径を、スリーブ１３内径よりも僅かに小径にしてスリーブ１３内に遊挿されるよう構成し、螺旋筒５７の外周及びスリーブ１３の内周に、それぞれが回動不能に係合する縦リブ２１ａと係合リブ２１ｃを設け、螺旋筒５７の両端を、スリーブ１３の当接部１２と身筒４の段部１０との間に挟持して螺旋筒５７を上下移動不能にしている。つまり、螺旋筒５７はスリーブ１３内に遊挿された状態でスリーブ１３内に固定されているため、スリーブ１３及び螺旋筒５７に寸法誤差があったとしても、螺旋筒５７内径に影響を与えるような事はない。また、以上の理由から、特別な圧入工具等必要なしに、保持筒２、身筒４、螺旋筒５７及びスリーブ１３を組み立てする事ができる。
【図面の簡単な説明】
【図１】本発明実施例の棒状化粧料繰り出し容器の正面断面図。
【図２】本発明実施例の分解斜視図。
【図３】本発明その他の実施例の棒状化粧料繰り出し容器の正面断面図。
【符号の説明】
１  棒状化粧料
２  保持筒
３  螺合突部
５  ガイド溝
４  身筒
８  挿入部
１０  段部
１２  当接部
１３  スリーブ
２１ａ  縦リブ
２１ｂ  内周リブ
２１ｃ  係合リブ
２３  出没穴
２９  螺旋溝
３３  係合凹部
５７  螺旋筒
【図１】
0004662297.tif 000002
【図２】
0004662297.tif 000003
【図３】
0004662297.tif 000004